(57)【要約】  様々な実施形態は、１つ以上の表面（例えば、患者の皮膚）に引張力を加えることを可能にするように構成された治療テープを対象としている。様々な実施形態において、治療テープは、上面および下面を有するバッキング層を含むことができる。治療テープを表面に確実に固定するように構成された粘着材料層は、バッキング層の下面に対して確実に固定され得る。さらに、バッキング層の上面に１つ以上のツマミは確実に固定され得る。１つ以上のツマミは、治療テープと表面との間の接着を維持しながら、表面の一部を持ち上げるために、治療テープおよび表面に引張力を加えることを可能にするように構成され得る。
2019537490.tif 000002
【特許請求の範囲】
【請求項１】
患者の身体の一部に適合するように構成されたバッキング層であって、上面および前記上面の反対側の下面を画定する可撓性バッキング層と、
前記可撓性バッキング層の前記下面に対して固定された粘着材料であって、前記バッキング層を患者の皮膚に対して接着するように構成された粘着材料と、
前記可撓性バッキング層の前記上面に対して固定された１つ以上のツマミであって、１つ以上のファスナを介して前記可撓性バッキング層に固定された１つ以上のツマミと、を含み、
前記粘着材料が、前記ツマミが前記患者の皮膚に対して垂直に引っ張られている間、前記バッキング層および前記患者の皮膚の接着を維持するように構成されている、治療テープ。
【請求項２】
前記バッキング層が非弾性である、請求項１に記載の治療テープ。
【請求項３】
前記粘着材料が、前記患者の体温によって熱活性化される、請求項１に記載の治療テープ。
【請求項４】
前記１つ以上のファスナが前記粘着材料とは異なる第２の粘着材料（接着剤）を含み、前記第２の粘着材料が、前記可撓性バッキング層の前記上面に対して前記１つ以上のツマミを恒久的に固定するように構成される、請求項１に記載の治療テープ。
【請求項５】
前記１つ以上のファスナが、前記１つ以上のツマミおよび前記バッキング層のそれぞれの少なくとも一部を介して縫合された糸を含む、請求項１に記載の治療テープ。
【請求項６】
前記１つ以上のツマミのうちの少なくとも１つが、前記バッキング層に対して固定された単層可撓性シートを含む、請求項１に記載の治療テープ。
【請求項７】
前記１つ以上のツマミが、前記バッキング層の前記上面に固定されるように構成された基部と、前記基部から離れる方向に延びるグリップ部とを含み、前記１つ以上のツマミの前記基部が、前記１つ以上のファスナを介して前記バッキング層の前記上面に対して固定されている、請求項１に記載の治療テープ。
【請求項８】
前記バッキング層が、長さおよび前記長さに対して垂直に測定される幅を画定し、前記長さが前記幅よりも実質的に長く、
前記１つ以上のツマミのうちの少なくとも１つが、前記バッキング層の前記幅と平行な方向に前記バッキング層を横切って延びる、請求項１に記載の治療テープ。
【請求項９】
前記バッキング層が、長さおよび前記長さに対して垂直に測定される幅を画定し、前記長さが前記幅よりも実質的に長く、
前記１つ以上のツマミのうちの少なくとも１つが、前記バッキング層の長さと平行な方向に前記バッキング層を横切って延びる、請求項１に記載の治療テープ。
【請求項１０】
前記１つ以上のツマミが前記バッキング層に対して着脱可能に固定され、前記１つ以上のファスナが、磁石、面ファスナ、またはスナップファスナから選択される、請求項１に記載の治療テープ。
【請求項１１】
刺激信号を患者の皮膚に印加するように構成された１つ以上の刺激装置をさらに含む、請求項１に記載の治療テープ。
【請求項１２】
前記１つ以上の刺激装置が、振動素子、圧力印加装置、またはＴＥＮＳ装置のうちの少なくとも１つを含む、請求項１１に記載の治療テープ。
【請求項１３】
前記１つ以上の刺激装置を選択的に作動させるために、１つ以上の刺激装置信号を生成するように構成されたコントローラをさらに含み、前記コントローラが、少なくとも１つの外部コンピューティングエンティティから送信されたデータを受信するように構成された少なくとも１つの通信インターフェースを備える、請求項１１に記載の治療テープ。
【請求項１４】
前記通信インターフェースが無線通信インターフェースである、請求項１３に記載の治療テープ。
【請求項１５】
前記粘着材料が、前記粘着材料および前記バッキング層が、前記患者の皮膚から除去されたときに実質的に剥離しないように前記バッキング層に確実に固定される、請求項１に記載の治療テープ。
【請求項１６】
可撓性材料を操作する方法において、
テープ構造を前記可撓性材料の表面に対して固定するステップであって、前記テープ構造が、
前記可撓性材料の前記表面の一部に適合するように構成され、上面および前記上面とは反対側の下面を画定する可撓性バッキング層と、
前記可撓性バッキング層の前記下面に対して固定され、前記バッキング層を前記可撓性材料の前記表面に対して接着するように構成された粘着材料と、
前記可撓性バッキング層の前記上面に対して固定され、１つ以上のファスナを介して前記可撓性バッキング層に固定された１つ以上のツマミと、を備えた、ステップと、
前記バッキング層の一部および前記可撓性材料の前記表面の固定部を持ち上げるために前記１つ以上のツマミのうちの少なくとも１つに引張力を加えるステップと、とを含む、方法。
【請求項１７】
前記可撓性材料が患者の皮膚である、請求項１６に記載の可撓性材料を操作する方法。
【請求項１８】
前記１つ以上のツマミが、前記可撓性バッキング層の前記上面に対して着脱可能に確実に固定され、前記方法が、さらに、
１つ以上の着脱可能なファスナを介して前記可撓性バッキング層の前記上面に対して１つ以上のツマミを確実に固定するステップを含む、請求項１６に記載の可撓性材料を操作する方法。
【請求項１９】
前記粘着材料が熱活性化され、前記テープ構造を前記可撓性材料の表面に対して確実に固定することが、
前記テープ構造の前記粘着材料を前記患者の皮膚に対して配置することと、
前記粘着材料を前記患者の皮膚に確実に接着させるために、前記患者の体温に基づいて前記粘着材料の温度を上昇させることと、を備える、請求項１７に記載の可撓性材料を操作する方法。
【請求項２０】
前記バッキング材料が、前記１つ以上のツマミのうちの少なくとも１つに引張力を加えると、前記可撓性材料の前記表面の少なくとも一部を、ツマミの変位に少なくとも略等しい距離だけ前記引張力の方向に変位させるように非弾性である、請求項１６に記載の可撓性材料を操作する方法。
【発明の詳細な説明】
【背景技術】
【０００１】
一般に、身体の傷害（例えば、筋肉の緊張、損傷、または衰弱、靭帯の裂傷および／または緊張、打撲、および／または同様のもの）からの患者の回復を補助するための、および／または身体障害および／または他の状態（例えば、線維筋痛症、多発性硬化症（ＭＳ）、および／または同様のもの）からの患者の不快感を最小限に抑えるための治療的処置および／または医学的処置（例えば、関節置換術などの外科的処置）は、専門家主導の治療セッション（例えば、医師、理学療法士、および／または同様のもののガイダンスの下での）および／または監督専門家によって処方されることができる患者主導の治療セッション（例えば、自己誘導エクササイズ）を含む。専門家主導の治療セッションは、患者が患者主導の治療セッションに含まれるものと同様のエクササイズを行うエクササイズ部分を含むことがあるが、専門家主導の治療セッションは、血流を刺激するため、瘢痕組織形成を最小限に抑えるため、筋肉の成長を促進するため、および／または同様のもののために、損傷部位またはその近くの患者の身体を専門家が操作する追加の治療マッサージおよび／または操作セッションを含むことがある。
【０００２】
歴史的に、患者は、専門家主導の治療セッションの間および／またはその後に、専門家によって提供された治療的操作処置を再現することができなかった。したがって、身体傷害からの回復をさらに補助するために患者が治療的操作処置を自己実行することを可能にする装置についての必要性が存在する。
【発明の概要】
【０００３】
様々な実施形態は、医療専門家の監督がない治療に基づく操作および／またはマッサージを患者が継続することを可能にするように構成された１つ以上のツマミおよび／または１つ以上の刺激装置を有する治療テープ（例えば、薬物治療テープ、理学治療テープ、物理治療テープ、カイロプラクティック治療テープ、ナプラパシー治療テープ、マッサージ治療テープ、リンパ治療テープ、スポーツ治療テープ、および／または同様のもの）を対象としている。例えば、患者は、テープが固定されている患者の身体の一部のリハビリテーションおよび／または治癒を促進するために、患者の皮膚の一部を持ち上げるおよび／または動かすことができることがある。例えば、治療テープは、緊張した、損傷した、および／または衰弱した筋肉および／または靭帯、血腫、打撲、コーディング、脊髄損傷、しびれ、組織および／または筋肉の緊張および／またはこわばり（例えば、痙縮からの）の治療を補助するように構成されることができる。治療テープは、さらに、上顆炎、足底筋膜炎、ＭＳ、線維筋痛症、リンパ浮腫、脂肪性浮腫、および／または同様のものなどの様々な身体的状態の治療を補助するように構成されることができる。様々な実施形態において、治療テープは、歯科処置、整形手術、脂肪吸引術、および／または同様のものなどの医学的処置（例えば、外科的処置）からの回復を補助するように構成されることができる。治療テープは、さらに、怪我を防止するため、患者の快適さを補助するため、および／または同様のもののために治療を提供するように構成されることができる。例えば、治療テープは、経穴、圧迫点、および／または同様のものを誘発するように構成されることができる。治療テープは、さらに、組織を持ち上げ、引き伸ばし、および／または移動させ、および／または組織に接続されたフィラメントを固定するように構成されることができる。治療テープは、さらに、様々な身体部分（例えば、四肢）、および／または同様のものに対する支持を提供するように構成されることができる。治療テープは、成人、子供、高齢の患者、および／または同様のものなどに使用可能であり得る。さらに、特定の実施形態において、治療テープは、動物（例えば、ウマ、イヌ、ネコ、および／または同様のもの）に使用可能であり得る。
【０００４】
したがって、様々な実施形態は、（ｉ）患者の身体の一部に適合するように構成されたバッキング層であって、上面および上面と反対側の下面を画定する可撓性バッキング層と、（ｉｉ）可撓性バッキング層の下面に対して固定された粘着材料であって、バッキング層を患者の皮膚に対して接着するように構成された粘着材料と、（ｉｉｉ）可撓性バッキング層の上面に対して固定された１つ以上のツマミであって、１つ以上のファスナを介して可撓性バッキング層に固定される１つ以上のツマミとを含む治療テープを対象としている。特定の実施形態において、粘着材料は、ツマミが患者の皮膚に対して垂直に引っ張られている間、バッキング層および患者の皮膚の接着を維持するように構成される。様々な実施形態において、粘着材料は、粘着材料およびバッキング層が患者の皮膚から除去されたときに実質的に剥離しないようにバッキング層に固定される。
【０００５】
様々な実施形態において、バッキング層は非弾性である。さらに、粘着材料は、患者の体温によって熱活性化されることができる。さらに、特定の実施形態において、１つ以上のファスナは、前記粘着材料とは異なる第２の粘着材料（接着剤）を含み、第２の粘着材料は、可撓性バッキング層の上面に対して１つ以上のツマミを恒久的に固定するように構成される。特定の実施形態において、１つ以上のファスナは、１つ以上のツマミおよびバッキング層のそれぞれの少なくとも一部を通して縫合された糸を含む。さらに、１つ以上のツマミのうちの少なくとも１つは、バッキング層に対して固定された単層可撓性シートを含むことができる。さらに、特定の実施形態において、１つ以上のツマミは、バッキング層の上面に固定されるように構成された基部と、基部から離れる方向に延びるグリップ部とを含む。特定の実施形態において、１つ以上のツマミの基部は、１つ以上のファスナを介してバッキング層の上面に対して固定される。
【０００６】
様々な実施形態において、バッキング層は、長さおよび長さに対して垂直に測定される幅を画定し、長さは、幅よりも実質的に長い。特定の実施形態において、１つ以上のツマミのうちの少なくとも１つは、バッキング層の幅と平行な方向にバッキング層を横切って延びる。代替実施形態において、１つ以上のツマミのうちの少なくとも１つは、バッキング層の長さと平行な方向にバッキング層を横切って延びる。特定の実施形態において、１つ以上のツマミは、バッキング層に対して着脱可能に固定され、１つ以上のファスナは、磁石、面ファスナ、またはスナップファスナから選択される。
【０００７】
様々な実施形態において、治療テープは、さらに、刺激信号を患者の皮膚に印加するように構成された１つ以上の刺激装置を含む。１つ以上の刺激装置は、振動素子、圧力印加装置、またはＴＥＮＳ装置のうちの少なくとも１つを含むことができる。さらに、治療テープは、１つ以上の刺激装置を選択的に作動させるために１つ以上の刺激装置信号を生成するように構成されたコントローラを備えることができ、コントローラは、少なくとも１つの外部コンピューティングエンティティから送信されたデータを受信するように構成された少なくとも１つの通信インターフェースを備える。特定の実施形態において、通信インターフェースは、無線通信インターフェースである。
【０００８】
様々な実施形態は、可撓性材料（例えば皮膚）を操作するための方法を対象としている。本方法は、（ｉ）可撓性材料の表面に対してテープ構造を固定するステップであって、テープ構造が、可撓性材料の表面の一部に適合するように構成されたバッキング層であって、上面および上面と反対側の下面を画定する可撓性バッキング層と、可撓性バッキング層の下面に対して固定された粘着材料であって、バッキング層を可撓性材料の表面に対して接着するように構成された粘着材料と、可撓性バッキング層の上面に対して固定された１つ以上のツマミであって、１つ以上のファスナを介して可撓性バッキング層に固定される１つ以上のツマミとを含むステップと、（ｉｉ）バッキング層の一部および可撓性材料の表面の固定部を持ち上げるために１つ以上のツマミのうちの少なくとも１つに引張力を加えるステップとを備えることができる。
【０００９】
様々な実施形態において、１つ以上のツマミは、可撓性バッキング層の上面に対して着脱可能に固定され、したがって、本方法は、１つ以上の着脱可能ファスナを介して可撓性バッキング層の上面に対して１つ以上のツマミを固定するステップをさらに備えることができる。さらに、様々な実施形態において、粘着材料は熱活性化され、したがって、テープ構造を可撓性材料の表面に対して固定するステップは、テープ構造の粘着材料を患者の皮膚に対して配置することと、患者の体温に基づいて粘着材料の温度を上昇させて粘着材料を患者の皮膚にしっかりと接着させることとを備えることができる。さらに、特定の実施形態において、バッキング材は、１つ以上のツマミのうちの少なくとも１つに引張力を加えると、可撓性材料の表面の少なくとも一部を、ツマミの変位に少なくとも略等しい距離だけ引張力の方向に変位させるように非弾性である。
【００１０】
必ずしも一定の縮尺で描かれているわけではない添付の図面を参照する。
【図面の簡単な説明】
【００１１】
【図１Ａ】図１Ａは、様々な治療テープの実施形態の平面図を示している。
【図１Ｂ】図１Ｂは、様々な治療テープの実施形態の側面図を示している。
【図１Ｃ】図１Ｃは、様々な治療テープの実施形態の側面図を示している。
【図２Ａ】図２Ａは、様々な治療テープの実施形態の平面図を示している。
【図２Ｂ】図２Ｂは、様々な治療テープの実施形態の側面図を示している。
【図２Ｃ】図２Ｃは、様々な治療テープの実施形態の側面図を示している。
【図２Ｄ】図２Ｄは、様々な治療テープの実施形態の側面図を示している。
【図３】図３は、例示的な治療テープの実施形態の平面図を示している。
【図４Ａ】図４Ａは、様々な治療テープの実施形態の平面図を示している。
【図４Ｂ】図４Ｂは、様々な治療テープの実施形態の平面図を示している。
【図４Ｃ】図４Ｃは、様々な治療テープの実施形態の側面図を示している。
【図４Ｄ】図４Ｄは、様々な治療テープの実施形態の側面図を示している。
【図５】図５は、一実施形態にかかる様々な刺激装置を含む治療テープの平面図を示している。
【図６Ａ】図６Ａは、一実施形態にかかる刺激装置を含む治療テープの平面図を示している。
【図６Ｂ】図６Ｂは、一実施形態にかかる刺激装置を含む治療テープの側面図を示している。
【図６Ｃ】図６Ｃは、一実施形態にかかる刺激装置およびツマミの分解図を示している。
【図７】図７は、一実施形態にかかる、患者の皮膚に対して固定された刺激装置を含む例示的な治療テープの側面図を示している。
【発明を実施するための形態】
【００１２】
本発明は、本発明の全ての実施形態が示されているわけではないが、そのうちのいくつかが添付の図面を参照して以下により詳細に説明される。実際に、本発明は、多くの異なる形態で具体化されることができ、本明細書に記載された実施形態に限定されると解釈されるべきではない。むしろ、これらの実施形態は、本開示が適用可能な法的要件を満たすように提供されている。同じ番号は、全体を通して同じ要素を指している。
【００１３】
様々な実施形態において、治療テープは、患者の傷害、身体障害、治療部位、および／または同様のものなどの治療的処置を容易にするために、ツマミ（例えば、バッキング層に対して着脱可能および／または固定されている）および／または刺激装置（例えば、バイブレータ、圧力印加装置、経皮的電気神経刺激装置（ＴＥＮＳ装置）、および／または同様のもの）を含む。治療テープは、テープの追加の特徴を支持するように構成されたバッキング材、可撓性材料（例えば、患者の皮膚）の表面に対してテープを選択的に固定するように構成された粘着材料層、１つ以上のツマミ、および／または１つ以上の刺激装置を含むことができる。ツマミは、医療専門家（例えば、医師、理学療法士、および／または同様のもの）、患者、および／または他の個人が材料（例えば、皮膚）を操作することを可能にするためにテープに一体化されることができる。例えば、ツマミは、テープが固定される皮膚内および／またはその近傍の血流を促進するために、瘢痕組織の発達を破壊および／または阻止するために、筋肉の発達を促進するために、リンパ流および／または排液を改善するために、患者の身体内の流体の流れを増加させるために、患者の身体の代謝率を増加させるために、および／または同様のもののために、医療専門家および／または患者が、下にある皮膚、組織、筋膜、および／または同様のものを医学的処置（例えば、患者の下にある皮膚、組織および／または筋膜を引き伸ばす、引っ張る、押す、ねじる、および／または同様のものを含む医学的処置）の一部として引っ張る、引き伸ばす、ねじる、伸ばす、細長くする、および／または同様のものなどを可能にすることができる。したがって、テープの粘着材料層は、テープの１つ以上のツマミを引っ張りおよび／または操作してもテープが患者の皮膚から剥がれないように、患者の皮膚に対してしっかりと固定されるように構成されることができる。さらに、治療テープは、例えば、それが引き伸ばされる、圧縮される、および／または同様のことなどをされるにともない、長さおよび／または幅を変化させるように構成されることができる。
【００１４】
さらに、様々な実施形態において、治療テープは、テープが患者に固定されている間に患者の皮膚を刺激するように構成された１つ以上の刺激装置を含むことができる。様々な実施形態において、治療テープは、電源を含む集積コントローラ、および／または１つ以上の刺激装置を選択的に作動するおよび／または非作動にするように構成された１つ以上の制御装置を含むことができる。様々な実施形態において、コントローラは、外部コンピューティング装置（例えば、ハンドヘルドコンピューティング装置、デスクトップコンピューティング装置、ラップトップコンピューティング装置、コントロールパネル、および／または同様のもの）との無線および／または有線接続のために構成されることができる。コントローラは、１つ以上の刺激装置の現在および／または履歴の状態を示す信号をコンピューティング装置に送信するように構成されることができ、および／または１つ以上の刺激装置の動作を操作するように構成された外部コンピューティングエンティティから１つ以上の制御信号を受信するように構成されることができる。
【００１５】
様々な実施形態において、治療テープは、複数の刺激装置（例えば、同じ種類の複数の刺激装置および／または様々な種類の刺激装置）および／または１つ以上のツマミを含むことができる。したがって、治療テープは、患者にとって様々な治療タイプを提供するように構成されることができる。
【００１６】
様々な実施形態において、治療テープは、長期間（例えば、１日を超えて）患者に対して固定されたままであるように構成されてもよい。そのような実施形態において、治療テープは、医療専門家と直接通信していないときに患者が自己提供療法を可能にするように構成されることができる。
【００１７】
本明細書で論じるように、治療テープは、所定の長さおよび幅を有することができる。特定の実施形態において、治療テープの長さは、治療テープが保管および／または分配のために（例えばロール上に）巻回されることができるように幅よりもかなり長くすることができる。非限定的な一例として、治療テープは、少なくとも約１インチの幅および少なくとも６インチの長さ（例えば、３フィート、６フィート、１２フィート、５０フィート、１００フィート、および／または同様の長さ）を有することができる。本明細書でより詳細に論じるように、治療テープは、ロール上に保存されるように構成されることができ、所定長さのテープが使用のためにロールから取り外されて切り取られる（例えば切断）ことができる。しかしながら、治療テープは、任意の比率および／または相対寸法を有してもよいことを理解すべきである。例えば、特定の実施形態において、幅は長さよりも大きくてもよい。さらに、特定の実施形態において、治療テープは、（例えば、テープの幅を横切る）長さおよび／または（例えば、テープの長さを横切る）幅が異なってもよい。
【００１８】
バッキング層
様々な実施形態において、治療テープは、それに固定される粘着材料層を有するバッキング層を含むことができる。特定の実施形態において、バッキング層は、さらに、それに固定された１つ以上のツマミおよび／または１つ以上の刺激装置を有することができる。
【００１９】
バッキング層は、織物、不織布フィルム、不織布、および／または同様のものなどの織布または不織布材料を含むことができる。様々な実施形態において、バッキング層は、単層を含むことができるが、特定の実施形態において、バッキング層は、複数層（例えば、織布層および不織布層）を含んでもよい。特定の実施形態において、バッキング層は、複数の繊維（例えば、織繊維、ブロー繊維、および／または同様のもの）を含むことができる。複数の繊維は、高い引張強度を有し且つテープの望ましくない引き裂きおよび／または破損を妨げるように構成された強化繊維を含んでもよい。さらに、特定の実施形態において、複数の繊維は、バッキング層が１つ以上の方向に可逆的に延伸することを可能にするように構成された弾性繊維を含むことができる。
【００２０】
様々な実施形態において、バッキング層は、１つ以上の天然材料および／または合成材料を含むことができる。例えば、バッキング層は、植物系材料（例えば、綿、木質繊維、竹繊維、セルロース繊維、天然ゴム、および／または他の生分解性材料）、合成材料（例えば、ポリエステル、合成ゴム、ポリ塩化ビニル、および／または同様のもの）、および／または同様のものを含むことができる。様々な実施形態において、バッキング層は、湿潤環境（例えば、汗、水、および／または同様のもの）にさらされたときにバッキング層が迅速に乾燥することができるように疎水性とすることができる。しかしながら、特定の実施形態において、バッキング材の少なくとも一部は親水性とすることができる。具体例として、バッキング層は、キネシオロジーテープバッキング層、医療用支持テープバッキング層、運動用テープバッキング層、動的テープバッキング層、および／または同様のものを含むことができる。様々な実施形態において、バッキング層は、複数の材料を含むことができる。例えば、バッキング層の第１の部分は、第１の材料を含むことができ、バッキング層の第２の部分は、第２の材料を含むことができる。特定の例として、バッキング層の第１の部分は、可撓性の非弾性材料を含むことができ、バッキング層の第２の部分は、可撓性の弾性材料を含むことができる。
【００２１】
様々な実施形態において、バッキング層は、上面と下面との間に貫通して延びる複数の細孔を有する多孔質材料とすることができる。例えば、細孔は、織布材料の繊維間、および／または不織布材料内の開口部を通って延びることができる。したがって、バッキング層は、通気性とすることができ、それによってガス（例えば空気）がバッキング層を通って流れることを可能にする。したがって、バッキング層は、治療テープに固定されたときに治療テープに隣接して位置する患者の皮膚に空気を流し、および／または患者の皮膚から空気を遠ざけることを可能にすることができる。
【００２２】
様々な実施形態において、バッキング層は、１つ以上の方向に伸縮性および／または弾性があることができる。例えば、バッキング層は、テープの長さに平行な方向および／またはテープの幅に平行な方向に伸縮性および／または弾性があることができる。したがって、特定の実施形態において、バッキングは、治療テープがそれに固定されたときに患者の皮膚に引張力を加えるように構成されることができる。例えば、弾性バッキング層（したがって、治療テープの残りの部分）は、患者への貼付中に引き伸ばされ、貼付後に解放されることができる。したがって、治療テープは、このようにして引き伸ばされた弾性バッキング層がその元の引き伸ばされていない形態に戻ることを試みる結果として引張力を加えることができる。しかしながら、特定の実施形態において、バッキング層は非弾性とすることができ、引き伸ばし（例えば、伸長）に抵抗することができることを理解すべきである。本明細書でより詳細に論じるように、非弾性バッキング層を利用する実施形態は、（例えば、ツマミを介して）治療テープを操作するときに患者の皮膚に直接のフィードバックを提供することができる。例えば、バッキング層は伸張しないことから、（例えば、ツマミを介して）治療テープの一部を変位させると、治療テープが固定されている皮膚の少なくとも実質的に等しい変位を生じさせる。
【００２３】
粘着材料層
本明細書で論じるように、治療テープは、バッキング層に固定された粘着材料層を含むことができる。粘着材料層は、治療テープを患者の皮膚に対して選択的に固定するように構成されることができる。したがって、粘着材料層は、貼付および／または患者からの取り外し中に粘着材料層およびバッキング層が剥離しないようにバッキング層に対して固定されてもよい。
【００２４】
様々な実施形態において、粘着材料層は、本明細書でさらに詳細に論じるように、様々な方法のいずれかを介してバッキング層に対して固定されることができる。例えば、粘着材料層は、バッキング層に対してラミネートされた粘着シート、バッキング層上にスプレーされた粘着スプレー、バッキング層上にロール塗布され、バッキング層上に滴下された粘着液、および／または同様のものを含むことができる。
【００２５】
様々な実施形態において、粘着材料層は、バッキング層の少なくとも実質的に全面が粘着材料層によって覆われるように、連続的とすることができる。しかしながら、特定の実施形態において、粘着材料層は不連続であってもよく、したがって、バッキング層の表面に固定された複数の離間した粘着材料部を含んでもよい。例えば、粘着材料層は、複数の離間した矩形、円形、三角形、および／または同様のものの粘着材料部を含むことができる。様々な実施形態において、粘着材料層は、気体（例えば、空気）がバッキング層および粘着材料層を通って流れることができるように（例えば、粘着材料部を通っておよび／または粘着材料部間において）通気性があることができる。
【００２６】
バッキング層と同様に、粘着材料層は、弾性層がバッキング層とともに移動および／または延伸することができるように、弾性および／または伸縮性があってもよい。したがって、粘着材料層は、粘着材料層がバッキング層から剥離させることができる力をバッキング層に対して提供しないように、バッキング層の動きに適合するように構成されてもよい。
【００２７】
様々な実施形態において、粘着材料層は、治療テープを患者の皮膚に対して着脱可能に固定するように構成されることができる。様々な実施形態において、粘着材料層は、（例えば、ツマミを介して）治療テープを操作することが患者の皮膚の相対的な操作を引き起こすことができ且つ治療テープが患者の皮膚に固定されたままとすることができる治療テープと患者の皮膚との間の十分な引張強度を提供することができる。様々な実施形態において、粘着材料層は、患者の皮膚に対して治療テープを引き伸ばすことなどによって、患者からの治療テープの取り外しを容易にするために低い剪断強度を有することができる。様々な実施形態において、粘着材料は、アクリルポリマーを含むことができる。非限定的な一例として、粘着材料層は、日東電工より提供されているSTRATAGEL（登録商標）を含むことができる。
【００２８】
特定の実施形態において、粘着材料層は、治療テープが患者の皮膚に固定されることおよび／または患者の皮膚から取り外されることを可能にするように熱活性化されることができる。したがって、治療テープは、患者の皮膚に固定されることができ、患者の体温は、テープが患者の皮膚に対して固定されるように治療テープを十分に加熱して粘着材料層を活性化することができる。一旦活性化されて患者の皮膚に固定されると、治療テープは、治療テープが患者の皮膚から外れることなく、（例えばツマミを介して）患者の皮膚とともに操作されることができる。
【００２９】
ツマミ
図を参照すると、治療テープは、治療テープおよびそれが固定されている下にある可撓性材料（例えば、皮膚）を持ち上げることを可能にするためにバッキング層に対して固定された１つ以上のツマミを含むことができる。治療テープは、任意の様々な構成を有する単一のツマミおよび／または複数のツマミを有してもよい。本明細書で論じられるような様々な実施形態において、ツマミは、フック型、円形、「Ｕ」字型、「Ｄ」字型、および／または同様のものとすることができる。例えば、様々な実施形態において、ツマミは、Ｏリング、Ｕリング、Ｊリング、Ｄリング、および／または同様のものとすることができる。さらに、様々な実施形態において、治療テープのツマミは、貼付された患者の皮膚からのテープの剥離を妨げるためにツマミがバッキング層の中央部に沿ってツマミに加えられる引張力を集中させるようにバッキング層に対して固定されることができる。
【００３０】
図１Ａ〜図１Ｃに示すように、治療テープ１は、テープ１の長さと少なくとも略平行に向けられた１つ以上のツマミ４を備える。テープ１の平面図を示す図１Ａに示すように、治療テープ１は、バッキング層２と、治療テープ１と少なくとも略中央に位置するツマミ４とを含むことができる。本明細書で論じるように、ツマミ４は、バッキング層２と連続することができ、バッキング層２の折り畳み部によって画定されることができる。しかしながら、様々な実施形態において、ツマミ４は、１つ以上のファスナ（例えば、縫合糸、接着剤、編物、磁石、ジッパー、タイ、レース、リベット、および／または同様のもの）によってバッキング層２に対して固定されるバッキング層２とは別個の構成要素とすることができる。様々な実施形態において、ツマミ４は、ツマミ４がバッキング層２に対して回動するおよび／または屈曲することを可能にするように、可撓性の非弾性、および／または弾性材料（例えば、織物、プラスチック、および／または同様のもの）を含むことができる。特定の実施形態において、ツマミ４は、バッキング層２と同じ材料を含むことができるが、特定の実施形態において、ツマミ４は、バッキング層２とは異なる材料を含むことができる。しかしながら、特定の実施形態において、ツマミは、剛性材料（例えば、木材、金属、プラスチック、および／または同様のもの）を含んでもよいことを理解すべきである。例えば、ツマミ４は、キネシオロジーテープ材料、医療用支持テープ材料、運動用テープ材料、動的テープ材料、および／または同様のものを含むことができる。さらに他の例として、ツマミ４は、本明細書で論じられる例示的なバッキング層材料として提供される材料のうちのいずれかを含むことができる。さらに、特定の実施形態において、ツマミは、複数の材料を含むことができる。例えば、ツマミの第１の部分は、第１の材料を含むことができ、材料の第２の部分は、第２の材料を含むことができる。例えば、ツマミの第１の部分は、可撓性の非弾性材料を含むことができ、ツマミの第２の部分は、可撓性の弾性材料を含むことができる。
【００３１】
治療テープ１の側面図を示す図１Ｂに示すように、ツマミ４は、バッキング層２から離れて（例えば、バッキング層２から少なくとも略垂直に）延びることができる。ツマミ４は、粘着材料層３が固定されるバッキング層２の下面とは反対側のバッキング層２の上面に固定されることができる。本明細書で論じるように、粘着材料層は、治療テープ１を患者の皮膚に対して着脱可能に固定するように構成されることができる。
【００３２】
図１Ｂおよび図１Ｃに示すように、ツマミ４は、テープ１の長さに沿って連続的であってもよくおよび／またはテープ１の長さに沿って不連続であってもよい。本明細書で論じるように、ツマミ４は、引張力が患者の皮膚に加えられている間に患者の皮膚からの治療テープ１の剥離を妨げるためにツマミに加えられる引張力が中央部に沿って集中するようにバッキング層２に対して固定されることができる。例えば、次いで、ツマミ４は、治療テープ１の中央部に沿って引張力を集中させるように構成された１つ以上の材料を含むことができる。様々な実施形態において、ツマミ４は、線形分布、放物線状分布、および／または同様のものでテープの少なくとも一部に沿って引張力を分配するように構成されることができる。例えば、引張力は、テープの中央部に集中することができ、テープに加えられる引張力の量は、テープの端縁に近付くにつれて（例えば、線形的に、指数関数的に、双曲線的に、および／または同様のもの）減少することができる。ツマミ４は、バッキング層２から延在する１つ以上の細長部および／またはバッキング層２から離れるように延在する１つ以上の短部を含むことができる。細長部および／または短部は、矩形、楕円形、半円形、三角形、および／または同様のものなどの様々な形状のうちのいずれかを有することができる。様々な実施形態において、ツマミ部の相対的形状および／または位置決めは、患者の皮膚への貼付中および／または貼付後に決定されることができる。例えば、ツマミの細長部は、（例えば、切断および／またはバッキング層２への固定を介して）患者の皮膚内の関心のある点（例えば、損傷の近傍点）の近くに画定されることができる。
【００３３】
ここで図２Ａ〜図２Ｄを参照すると、治療テープ１１は、治療テープ１１の長さに対して少なくとも略垂直に配向された複数のツマミ１４を含むことができる。様々な実施形態において、ツマミ１４は、バッキング層から少なくとも約０．００１インチ〜４８インチ離れて延びることができる。ほんの一例として、ツマミは、バッキング層から約０．５インチ〜６インチ離れて延びてもよい。特定の例として、ツマミは、バッキング層から約１インチ〜２インチ離れて延びてもよい。治療テープ１１は、治療テープ１と同様の構成（例えば、材料、ツマミ固定ファスナ、および／または同様のもの）を有していてもよいが、治療テープ１１は、治療テープ１１の長さに対して異なるツマミの向きを有していてもよい。図２Ａ〜図２Ｄに示すように、治療テープ１１は、バッキング層１２の上面（粘着材料層１３とは反対側）から離れ且つ治療テープ１１の長さに対して少なくとも略垂直に延びるツマミ１４を含むことができる。図２Ｂに示すように、ツマミ１４は、バッキング層１２の主要面（例えば、患者の皮膚が配置される平面）から上方に離れて延びるバッキング層１２のループ部から形成されることができる。バッキング層１２のループ部は、（例えば、縫合糸、接着剤、および／または同様のものによって）互いに固定され、ツマミ１４を形成することができる。接着剤がループしたバッキング層１２の長さを利用してツマミ１４を形成して固定するために利用される実施形態において、ツマミ１４を安全に形成するために利用される接着剤は、患者の皮膚に対して治療テープを固定するために利用される粘着材料とは異なっていてもよい。
【００３４】
図２Ｃ〜図２Ｄは、バッキング層１２に対してツマミ１４を固定するための代替実施形態を示している。図２Ｃに示すように、ツマミ１４は、バッキング層に隣接しておよび／またはそれと平行に固定されるように構成された基部と、基部から離れる方向に延びるグリップ部とを含むことができる。基部は、１つ以上の材料層（例えば、単層）を含むことができ、グリップ部は、基部と少なくとも同数の材料層（例えば、単層または２層）を含むことができる。様々な実施形態において、ツマミ１４は、バッキング層１２に対して固定された折り畳み材料を含むことができる。そのような実施形態において、ツマミ１４の折り畳み層は、基部がバッキング層に対して固定され且つグリップ部を形成する折り畳み部がともに固定されるように、基部およびグリップ部を形成することができる。例えば、グリップ部を形成する１つ以上の折り畳み層は、本明細書で論じられるようにファスナ（例えば、縫合糸、接着剤、および／または同様のもの）を使用して互いに対して固定されることができる。図２Ｃに示すように、折り畳み層の基部は、１つ以上のファスナ（例えば、縫合糸、接着剤、および／または同様のもの）を使用してバッキング層１２に対して固定されることができる。様々な実施形態において、基部は、バッキング層に対して固定されるべき拡大領域を画定することができる。したがって、本明細書で論じられるようにツマミ（例えば、グリップ部）に引張力が加えられると、拡大された基部は、バッキング層の領域にわたって引張力の効果を分散させるのに役立つことができ、それにより、処置中にバッキング層が患者の皮膚から外れないようにするために患者の皮膚のより広い領域にわたって引張力を分散させることができる。例えば、ツマミ１４がバッキング層１２の長さに対して少なくとも略垂直に整列された実施形態において、基部は、バッキング層１２に少なくとも略等しい幅、および少なくとも１インチの長さを有することができる。様々な実施形態において、基部は、１インチから１２インチの間の長さを有することができる。
【００３５】
ツマミ１４がバッキング層１２に対して異なる角度で配向されている実施形態において、ツマミの基部は、基部のどの部分もバッキング層１２の端縁を越えて延びないように、バッキング層１２に全体的に隣接して配置されることができる。特定の実施形態において、基層は、バッキング層１２と略等しいサイズおよび形状を有してもよい。
【００３６】
図２Ｄは、バッキング層１２に対してツマミ１４を固定するためのさらに他の例示的実施形態を示している。図２Ｄに示すように、各ツマミは、１つ以上のファスナ（例えば、縫合糸、接着剤、および／または同様のもの）によってバッキング層１４に対して固定された材料（例えば、織物、プラスチック、および／または同様のもの）の単層を含むことができる。
【００３７】
様々な実施形態において、ツマミ１４は、患者の皮膚に対して治療テープ１１を固定する間および／またはその後に、バッキング層１２に対して形成および／または固定されることができる。したがって、ツマミ１４は、患者の治療上の必要性に基づいてユーザ（例えば、医療専門家）によって位置決めされてもよい。例えば、ツマミ１４は、治療テープ１１に対して、したがって傷害の場所、および／または同様のものに基づいて患者に対して固定されることができる。
【００３８】
図３に示すように、本明細書で論じる治療テープ１および１１と同様の構成を有する治療テープ２１を示している。治療テープ２１は、１つ以上のツマミ２４が固定されるバッキング層２２を含むことができる。図３に示すように、ツマミ２４は、バッキング層２２に対して任意の向きに固定されることができる。ツマミ２４は、本明細書で論じるような様々な構成のいずれかを使用して固定されることができる（例えば、バッキング層２２の折り畳み部として形成される、バッキング層２２に対して固定された材料の折り畳み部として形成される、バッキング層２２に対して固定された材料の単層として形成される、および／または同様のもの）。
【００３９】
図４Ａ〜図４Ｄを参照すると、治療テープ３１は、ツマミがバッキング層３２に対して着脱可能に固定されることができるように構成されることができる。図４Ａ〜図４Ｄの例示された実施形態において、バッキング層３２および粘着材料層３３は、上記治療テープ１、１１および２１を参照して説明したものと同様の構成を有することができる。しかしながら、図４Ａ〜図４Ｄに示すように、治療テープ３１は、１つ以上のツマミ３７が治療テープ３１に対して着脱可能に固定されることを可能にするように構成されるバッキング層３２に対して固定される１つ以上の接続部３６をさらに含むことができる。様々な実施形態において、接続部３６は、面ファスナ材料（例えば、Ｖｅｌｃｒｏ（登録商標））、磁性材料、着脱可能および／または恒久的接着剤、スナップ、および／または同様のもののような様々な着脱可能なファスナ材料のいずれかを含むことができる。一例として、粘着材料層３３の粘着材料は、ツマミ３７がバッキング層上の粘着材料に対して固定されることができるようにバッキング層３２上に続くことができる。
【００４０】
図４Ａ〜図４Ｄに示すように、接続部３６は、（例えば、図４Ｃに示すように）連続接続部３６および／または（例えば、図４Ａ〜図４Ｂに示すように）不連続接続部３６を含むことができる。様々な実施形態において、各接続部３６は、着脱可能なツマミ３７に対して固定されるように構成されることができる。例えば、各接続部３６は、着脱可能なツマミ３７の雄型スナップコネクタに対して固定されるように構成された雌型スナップコネクタを含むことができる。さらに他の実施形態において、複数の接続部３６は、単一の着脱可能なツマミ３７に対して固定されるように構成されてもよい。例えば、図４Ｂの例示された実施形態において、複数の接続部３６は、治療テープ３１に対して着脱可能なツマミ３７を固定するために同時に着脱可能なツマミ３７と係合するように構成されてもよい。
【００４１】
図４Ｄに示すように、接続部３６は、治療テープ３１に隣接して配置された物品（例えば、衣服）が意図せずに引っかかるのを避けるために薄型を有することができる。さらに、様々な実施形態において、１つ以上の接続部３６は、着脱可能なツマミ３７が１つ以上の追加層（例えば、衣服層）を介して治療テープ３１に対して固定できるように構成されることができる。それゆえに、例えば、治療テープ３１は、患者の衣服の下で患者の皮膚に固定されることができ、着脱可能なツマミ３７は、患者および／または医療専門家が患者の衣服を介して治療テープ３１および固定された患者の皮膚を操作することを可能にするように、患者の衣服を介して（例えば、磁力によって）接続部３６に係合するように構成されることができる。
【００４２】
様々な実施形態において、接続部３６は、バッキング層３２の上面（例えば、反対側の粘着材料層３３）に対して固定されてもよい。そのような実施形態において、接続部３６は、１つ以上のファスナ（例えば、縫合糸、接着剤、リベット、および／または同様のもの）を介してバッキング層３１に固定されることができる。特定の実施形態において、接続部３６は、（例えば、バッキング層３２と粘着材料層３３との間、またはバッキング層３２に対して粘着材料層３３の反対側に）バッキング層３２の下面に隣接して固定されてもよい。そのような実施形態において、接続部３６は、粘着材料層３３の接着特性によって、および／または追加のファスナ（例えば、追加の接着剤、縫合糸、および／または同様のもの）によってバッキング層３２に対して固定されてもよい。
【００４３】
ツマミ４および１４と同様に、治療テープ３１を患者に対して固定している間および／または固定した後に、接続部３６は、バッキング層３２に対して固定されることができる。例えば、接続部３６（例えば磁石）は、接続部３６が治療テープ３１と患者の皮膚との間に固定されるように粘着材料層３３と患者の皮膚との間に配置されることができる。さらに他の実施形態として、接続部３６は、治療テープ３１を患者の皮膚に対して固定している間および／または固定した後に、バッキング層３２の上面に対して固定されることができる。
【００４４】
様々な実施形態において、着脱可能なツマミ３７は、剛性構成要素および／または可撓性構成要素を含むことができる。例えば、着脱可能なツマミ３７は、磁気接続部３６に対して磁気的に固定されるように構成された磁性材料を含むことができる。さらに他の例として、着脱可能なツマミ３７は、ユーザ（例えば、患者および／または医療専門家）が着脱可能なツマミ３７および治療テープ３１の接続部３６と係合するように構成されたコネクタを操作することを可能にするように構成されたグリップ部（例えば、可撓性グリップ部および／または剛性グリップ部）を含むことができる。例えば、コネクタは、対応する面ファスナ接続部３６に対して固定されるように構成された嵌合面ファスナ材料を含むことができる。さらに他の例として、着脱可能なツマミ３７のコネクタは、接続部３６の対応するスナップ型コネクタ（例えば、雌型スナップ型コネクタ）と係合するように構成されたスナップ型コネクタ（例えば、雄型スナップ型コネクタ）を含むことができる。
【００４５】
様々な実施形態において、治療テープは、１つ以上のツマミ（例えば、ツマミ４、１４、２４）、および治療テープに対して１つ以上の着脱可能なツマミ３７を着脱可能に固定するように構成された１つ以上の接続部３６を含むことができる。
【００４６】
刺激装置およびコントローラ
図５〜図７を参照すると、治療テープは、治療テープが固定された皮膚に刺激を与えるように構成された１つ以上の刺激装置（例えば、振動素子、圧力印加装置、ＴＥＮＳ装置、バイオフィードバック装置、バイオインピーダンス分析装置、温度計、脈拍計測装置、および／または同様のもの）を含むことができる。本明細書で論じるように、治療テープの様々な実施形態は、単一の振動素子、複数の振動素子、単一の圧力印加装置、複数の圧力印加装置、単一のＴＥＮＳ電極、複数のＴＥＮＳ電極、および／または同様のものを含むことができる。様々な実施形態において、治療テープは、１つ以上の振動素子および１つ以上の圧力印加装置を含むことができる。さらに他の実施形態において、治療テープは、１つ以上の振動素子および１つ以上のＴＥＮＳ電極を含むことができる。さらに他の実施形態において、治療テープは、１つ以上の圧力印加装置および１つ以上のＴＥＮＳ電極を含むことができる。さらに他の実施形態において、治療テープは、１つ以上の振動素子、１つ以上の圧力印加装置、および１つ以上のＴＥＮＳ電極を含むことができる。
【００４７】
図５に示すように、治療テープ４１は、それに固定された１つ以上の振動素子４８とともに、本明細書で論じたものと同様のバッキング層を含むことができる。様々な実施形態において、１つ以上の振動素子４８は、バッキング層４２の上面、バッキング層４２の下面（例えば、バッキング層４２と粘着材料層（図示せず）またはバッキング層４２に対して反対側の粘着材料層との間）に対して固定されることができる。さらに他の実施形態として、治療テープ４１は、振動素子４８が固定された、それを貫通して（例えば、バッキング層４２および／または粘着材料層を通って）延びる１つ以上の開口を画定することができる。
【００４８】
１つ以上の振動素子４８は、患者に治療感覚（例えば、痛みの軽減、しびれ、代謝率の増加、および／または同様のもの）を提供するために患者の皮膚に振動パルスを放射するように構成された１つ以上の振動アクチュエータを含むことができる。様々な実施形態において、１つ以上の振動素子４８は、１つ以上の振動素子４８のそれぞれに電力信号を放射するように構成されたコントローラ１００と（例えば、電気導管４９を介して）電気通信することができる。様々な実施形態において、電気導管４９は、１本以上のワイヤ（例えば中実および／またはより線）、１つ以上の印刷電気コネクタ（例えばバッキング層４２上に印刷）、および／または同様のものを含むことができる。
【００４９】
様々な実施形態において、コントローラ１００は、電源（例えば電池）と、１つ以上の振動素子４８に信号を放射するように構成された制御回路とを含むことができる。様々な実施形態において、コントローラ１００は、１つ以上の外部コンピューティングエンティティ（例えば、携帯情報端末、スマートフォン、タブレット、スマートウォッチ、および／または同様のものなどのハンドヘルドコンピューティング装置；ラップトップコンピューティング装置、デスクトップコンピューティング装置、および／または同様のものなどのパーソナルコンピューティングエンティティ；および／またはサーバ、ウェブインターフェース、および／または同様のものなどの中央コンピューティング装置）と通信するように構成された通信インターフェースをさらに含むことができる。様々な実施形態において、通信インターフェースは、有線インターフェースおよび／または無線インターフェース（例えば、ブルートゥース（登録商標）、Ｗｉ−Ｆｉ、近距離無線通信、ＬＴＥ、３Ｇ、および／または同様のもの）を介して１つ以上の外部通信インターフェースと通信するように構成されることができる。様々な実施形態において、通信インターフェースは、インターネット、イントラネット、および／または同様のものなどの１つ以上のネットワークを介して通信するように構成されることができる。
【００５０】
様々な実施形態において、コントローラ１００は、１つ以上の振動素子４８を制御するために外部コンピューティングエンティティから制御信号を受信するように構成されることができる。例えば、外部コンピューティングエンティティは、１つ以上の振動素子４８についての所望の活性／非活性状態、１つ以上の振動素子４８についての所望の振動周波数、および／または同様のものを示す信号を送信するように構成されることができる。例えば、外部コンピューティングエンティティは、振動素子４８の所望の動作特性を示すユーザ入力の受信に応答して１つ以上の制御信号を生成して送信するように構成されることができる。
【００５１】
図示していないが、治療テープ４１は、さらに、１つ以上のツマミ（例えば、ツマミ４、１４、２４と同様の）および／または１つ以上の着脱可能なツマミ３７に着脱可能に固定されるように構成された接続部３６を含むことができる。
【００５２】
ここで図６Ａ〜図６Ｃを参照すると、治療テープ５１は、治療テープ５１が固定された皮膚に圧力（例えば、負圧および／または正圧）を提供するように構成された１つ以上の圧力印加装置５８（例えば、動力吸盤、圧縮スリーブ、および／または同様のもの）を含むことができる。圧力印加装置５８のそれぞれは、圧力印加装置５８のそれぞれに圧力を提供するように構成されたポンプ、電気アクチュエータ、および／または同様のものを備えることができるコントローラ１００と電気的および／または空気圧的に通信することができる。例えば、コントローラ１００から１つ以上の圧力アクチュエータ５８まで延びる導管５９は、１つ以上の圧力印加装置５８のそれぞれに信号を送信して圧力印加装置５８のそれぞれに患者の皮膚を活性化させて圧力を加えさせるように構成された電気導管（例えばワイヤ）を備えることができる。例えば、圧力印加装置５８のそれぞれは、患者の皮膚に圧力を加えるように構成されたアクチュエータを備えることができる。特定の実施形態において、導管５９は、コントローラ１００に配置されたポンプを１つ以上の圧力印加装置５８のそれぞれに接続する空気圧導管（例えばチューブ）を備えることができる。そのような実施形態において、ポンプは、圧力印加装置５８から空気を圧送し、それによって圧力印加装置が患者の皮膚に圧力を提供するように構成されることができる。
【００５３】
図６Ｂは、様々な実施形態にかかる治療テープ５１の側面図を提供している。図６Ｂに示すように、圧力印加装置５８は、そこから延在する１つ以上のツマミ５４をさらに含むことができる。本明細書で論じるように、１つ以上のツマミ５４のそれぞれは、ツマミ４、１４、および２４と同様の構成を有することができる。しかしながら、ツマミ５４は、圧力印加装置５８に直接固定されてもよい。図６Ｃに示すように、ツマミ５４は、患者の皮膚に接触するように構成された下部５８ｂとは反対側の、圧力印加装置５８の上部５８ａから延びることができる。上述した振動印加装置４８を参照して説明されていないが、振動印加装置４８は、本明細書で論じるようなツマミ５４をさらに含んでもよいことを理解すべきである。
【００５４】
図７を参照すると、様々な治療テープ６１の実施形態は、複数の刺激装置６８を含むことができる。そこに示されているように、治療テープ６１は、患者の皮膚に振動刺激を貼付するように構成された振動素子、患者の皮膚に圧力を印加するように構成された圧力印加装置、および／または患者の皮膚に電気刺激を印加するように構成された経皮的電気神経刺激装置（ＴＥＮＳ装置）を含む複数の刺激装置６８を備えることができる。刺激装置６８のそれぞれは、導管６９を介してコントローラ１００と電気的および／または空気圧的に通信することができる。本明細書で論じるように、コントローラ１００は、１つ以上の刺激装置６８を作動させるように構成された１つ以上の電源、１つ以上の電気信号発生器、および／または１つ以上のポンプを備えることができる。さらに、図７に示すように、治療テープ６１は、ツマミ４、１４、および２４と同様の１つ以上のツマミ６４を含むことができる。図示されていないが、治療テープ６１は、本明細書で論じるような１つ以上の着脱可能なツマミを受け入れるように構成されてもよい。そのような実施形態において、治療テープ６１は、１つ以上の着脱可能なツマミ３７と係合するように構成された１つ以上の接続部３６を含むことができる。
【００５５】
製造方法
様々な実施形態において、本明細書で論じるような治療テープは、バッキング材内におよび／またはバッキング材上にツマミを形成および／または固定することによって、バッキング材に粘着材料を塗布することによって製造されることができる。さらに、様々な実施形態において、治療テープは、大きなウェブの一部として形成されることができ（例えば、治療テープの幅の少なくとも２倍に等しい幅を有する）、大きなウェブは、個々の治療テープ幅部に切断されることができる。特定の実施形態において、治療テープは、治療テープと少なくとも略同じ幅の材料のウェブから形成されてもよい。
【００５６】
様々な実施形態において、ツマミは、バッキング材を折り畳んでその中に１つ以上のループを形成することによってバッキング材の一部として形成されることができる。本明細書で論じるように、ツマミは、治療テープの長さと整列してもよく、そのような実施形態において、治療テープは、治療テープの横方向端縁の間でバッキング材の上面の上方に延びるループを形成するように外形付けされてもよい。バッキング材のループ部は、（例えば、接着剤、縫合糸、リベット、および／または同様のものを介して）互いに固定されて１つ以上のツマミを形成することができる。ツマミが治療テープの横方向端縁の間で治療テープを横切って横方向に延びる実施形態において、例えば、様々な間隔（例えば、規則的間隔および／または不規則間隔）でバッキング層に複数のループが形成されることができ、１つ以上のファスナとともに固定されることができる。
【００５７】
ループ部とは反対側のバッキング材の下面は、粘着材料によって被覆されてもよい。様々な実施形態において、粘着材料は、バッキング材上にラミネートされることができ、バッキング材上にスプレーされることができ、バッキング材上にスクリーン印刷されることができ、バッキング材上に滴下されることができ、および／または同様のものとすることができる。特定の実施形態において、粘着材料がバッキング層から剥離しないようにバッキング層と粘着材料との間に強力な機械的結合を形成するために、粘着材料がバッキング材に塗布された後に硬化されることができる。粘着材料の塗布およびツマミの形成後、治療テープは、保管、出荷、および／または販売のために巻き取りローラ上に巻回されることができる。
【００５８】
様々な実施形態において、ツマミは、別個の材料から形成されてバッキング層に固定されてもよい。例えば、材料の個々のループ、材料のストリップ、および／または同様のものは、１つ以上のファスナ（例えば、接着剤、縫合糸、リベット、および／または同様のもの）を介してバッキング層に固定されることができる。例えば、ツマミは、治療テープの幅方向にわたって（例えば、横方向端縁間に延在して）固定されることができる。さらに他の例として、ツマミは、治療テープの長さに沿って延びてもよく、したがって、ツマミは、治療テープの長さに沿って固定されてもよい。
【００５９】
様々な実施形態において、粘着材料は、その中にツマミを形成する前にバッキング層に塗布されてもよい。
【００６０】
１つ以上の接続部３６を含む実施形態において、接続部は、１つ以上のファスナ（例えば、接着剤、縫合糸、リベット、および／または同様のもの）を介してバッキング層に固定されることができる。様々な実施形態において、接続部は、バッキング層の上面に固定されることができる。しかしながら、様々な実施形態において、接続部は、着脱可能なツマミがバッキング層の上面に対して固定されることを可能にしながら、バッキング層の下面に固定されてもよいことを理解すべきである。例えば、１つ以上の磁石がバッキング層の下面（例えば、粘着材料層の下または粘着材料層とバッキング層との間）に固定されて着脱可能なツマミがバッキング層の上面に対して固定されることを可能にする。さらに他の実施形態において、バッキング層は、（例えば、１つ以上のファスナによって）ともに固定された複数の層（例えば、２つの層）を含むことができ、そのような実施形態において、１つ以上の接続部は、バッキング材の層のうちの２つ以上の間に固定されることができる。
【００６１】
さらに、治療テープが１つ以上の刺激装置を含む実施形態において、刺激装置は、治療テープの下面に対して（例えば、粘着材料層の下および／または粘着材料層とバッキング層との間に）固定されてもよい。さらに他の実施形態において、刺激装置は、治療テープの上面に対して固定されてもよい。さらに他の実施形態において、治療テープの上面および下面を通って延びる治療テープ内に１つ以上の開口が形成されることができ、形成された開口内に１つ以上の刺激装置が固定されることができる。さらに、導管（例えば、電気導管および／または空気圧導管）は、１つ以上の刺激装置のそれぞれに対して固定されてもよい。さらに、コントローラは、バッキング材に対して（例えば、バッキング材の上面に対して、バッキング材の下面に対して、またはバッキング材の端部に対して）固定されてもよく、導管は、コントローラに対して固定されてもよい。様々な実施形態において、１つ以上の刺激装置を含む治療テープは、所定長（例えば、６インチ、１２インチ、３６インチ、および／または同様のもの）に切断されることができ、コントローラは、治療テープの各長さに対して固定されることができる。様々な実施形態において、粘着材料層が意図せずに１つ以上の表面に貼付されるのを妨げるように、保護シート（例えば、紙シート、ワックス紙シート、ホイル、および／または同様のもの）が粘着材料層に対して固定されることができる。
【００６２】
使用方法
本明細書で論じるように、記載された治療テープの様々な実施形態は、患者の１つ以上の病気の治療を提供するために利用されることができる。例えば、記載された治療テープは、患者の身体の様々な部分への血流および／または他の流体の流れを増加させ、患者の身体の様々な部分の筋肉圧を軽減し、瘢痕組織の形成を妨げ、および／または同様のものとするように構成されることができる。
【００６３】
使用中、それに固定された１つ以上のツマミを有する治療テープは、患者の皮膚に貼付されうる。様々な実施形態において、所定長の治療テープは、（例えば、治療テープのロールから選択可能な長さの治療テープを切断することによって）治療テープのロールから除去され、患者の皮膚に貼付することができる。実施形態において、治療テープの粘着材料層は、患者へのテープの貼付後に患者の体温によって熱活性化される。
【００６４】
治療テープが患者の皮膚にしっかりと貼付されると、（例えば、１つ以上のツマミを引くことによって）引張力が１つ以上のツマミに加えられて１つ以上のツマミに隣接する患者の皮膚の一部を持ち上げることができる。様々な実施形態において、引張力は、患者の皮膚の表面に対して少なくとも略垂直に（例えば、患者の皮膚に対して少なくとも略垂直に）加えられることができるが、引張力は、患者の皮膚に対して鋭角（例えば、患者の皮膚に対して０〜９０度の間）で加えられることができる。非限定的な一例として、引張力は、患者の皮膚に対して約４５〜９０度の間の角度で加えられることができる。引張力は、多方向皮膚および／または組織マッサージおよび／または手技治療の一部として加えられることができる。例えば、ツマミは、引っ張られおよび／またはねじられてもよく、テープは、処置中に圧縮されてもよい。例えば、ツマミは、任意の方向（例えば、テープの長さと少なくとも部分的に並ぶ方向、テープの幅と少なくとも部分的に並ぶ方向、テープに対して垂直な方向、および／またはその間の任意の方向）に引かれることができる。１つ以上のツマミはまた、（例えば、テープに対して垂直な軸まわりに、テープの長さと平行な軸まわりに、テープの幅と平行な軸まわりに、および／またはその間の任意の軸で）ねじられてもよい。
【００６５】
着脱可能なツマミおよび接続部を含む実施形態において、治療テープは、上述したように貼付されてもよい。患者の皮膚に貼付されると、着脱可能なツマミのうちの１つ以上が１つ以上の接続部に対して固定されてもよい。一旦固定されると、（例えば、着脱可能なツマミのうちの１つ以上を引くことによって）着脱可能なツマミのうちの１つ以上に引張力が加えられて治療テープおよび患者の皮膚の隣接部を持ち上げることができる。
【００６６】
さらに、１つ以上の刺激装置を含む実施形態において、１つ以上の刺激装置を含む治療テープは、患者の皮膚に貼付されてもよい。一旦貼付されると、１つ以上の刺激装置は、コントローラから起動信号を受信することによって起動されることができる。様々な実施形態において、コントローラは、その上に配置されたユーザインターフェース（例えば、電源スイッチ、強度セレクタ、および／または同様のもの）を含むことができ、したがって、１つ以上の刺激装置は、コントローラによるユーザ入力の受信に応答してコントローラによって起動されることができる。さらに、特定の実施形態において、コントローラは、１つ以上の外部コンピューティングエンティティ（例えば、ハンドヘルドコンピューティングエンティティ、ユーザコンピューティングエンティティ、および／または同様のもの）と電子通信（例えば、有線および／または無線）することができる。様々な実施形態において、１つ以上の電子コンピューティングエンティティは、１つ以上の電子信号を生成してコントローラに送信し、コントローラに１つ以上の刺激装置を起動または制御させるように構成されることができる。例えば、ユーザは、所望の電力レベル（例えば、振動強度、ＴＥＮＳ信号強度、圧力印加強度、および／または同様のもの）を示すユーザ入力を外部コンピューティングエンティティに提供することができる。ユーザ入力の受信に応答して、外部コンピューティングエンティティは、治療テープのコントローラに信号を送信し、コントローラに対応する信号を生成させて１つ以上の刺激装置に送信させ、刺激装置を起動させることができる。
【００６７】
さらに、本明細書で論じるように、１つ以上の刺激装置を含む治療テープは、１つ以上のツマミ（以前にそれに固定されている、および／または着脱可能な）をさらに含むことができる。したがって、治療テープ内に具現化された１つ以上の刺激装置を作動させる前、その間、および／またはその後に、１つ以上のツマミに引張力が加えられることができる。
【００６８】
結び
本明細書に記載された本発明の多くの変更例および他の実施形態は、前述の説明および関連する図面に提示された教示の恩恵を受けて、これらの発明が関係する当業者には思い浮かぶであろう。したがって、本発明は、開示された特定の実施形態に限定されるべきではなく、変更例および他の実施形態は、添付の特許請求の範囲内に含まれることが意図されることを理解されたい。本明細書では特定の用語が使用されているが、それらは、一般的且つ説明的な意味でのみ使用されており、限定を目的としていない。
【００６９】
本明細書で論じるように、治療テープは、人間の患者（例えば、子供、青年、成人、高齢者、および／または同様のもの）によって使用可能とすることができる。特定の実施形態は、動物の患畜（例えば、ウマ、ネコ、イヌ、および／または同様のもの）によって使用可能とすることができる。さらに、本明細書で論じるように、様々な実施形態は、患者の皮膚に直接適用されることができる。しかしながら、様々な実施形態において、治療テープは、衣類（例えば、圧縮フィット衣類、ルーズフィット衣類、スマート衣類（例えば、その中に埋め込まれた１つ以上のネットワーク接続装置を有する））、支持装置（例えば、支持スリーブ、および／または同様のもの）、および／または同様のものの内部および／またはそれらの上に埋め込まれてもよい。
【図１Ａ】
2019537490.tif 000003
【図１Ｂ】
2019537490.tif 000004
【図１Ｃ】
2019537490.tif 000005
【図２Ａ】
2019537490.tif 000006
【図２Ｂ】
2019537490.tif 000007
【図２Ｃ】
2019537490.tif 000008
【図２Ｄ】
2019537490.tif 000009
【図３】
2019537490.tif 000010
【図４Ａ】
2019537490.tif 000011
【図４Ｂ】
2019537490.tif 000012
【図４Ｃ】
2019537490.tif 000013
【図４Ｄ】
2019537490.tif 000014
【図５】
2019537490.tif 000015
【図６Ａ】
2019537490.tif 000016
【図６Ｂ】
2019537490.tif 000017
【図６Ｃ】
2019537490.tif 000018
【図７】
2019537490.tif 000019
【国際調査報告】
2019537490.tif 000020
2019537490.tif 000021
2019537490.tif 000022
2019537490.tif 000023